【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
照明光を複数の色光に分解する色分解手段と、前記複数の色光をそれぞれ変調する複数の画像表示素子と、これら画像表示素子により変調された前記複数の色光を合成してカラー画像表示を可能とする色合成手段とを有する画像表示装置であって、
前記複数の色光のそれぞれの光路における前記画像表示素子の入射面側および射出面側に、偏光素子を貼り付けた透明基板が配置されており、
前記複数の光路のうち少なくとも１つの光路において、前記画像表示素子の入射面側に配置された透明基板の厚さと、射出面側に配置された透明基板の厚さが異なることを特徴とする画像表示装置。
【請求項２】
前記少なくとも１つの光路において、前記画像表示素子の入射面側及び射出面側のうち一方に配置された透明基板の厚さを、他方に配置された透明基板の厚さの略１．２倍以上としたことを特徴とする請求項１に記載の画像表示装置。
【請求項３】
照明光を複数の色光に分解する色分解手段と、前記複数の色光をそれぞれ変調する複数の画像表示素子と、これら画像表示素子により変調された前記複数の色光を合成してカラー画像表示を可能とする色合成手段とを有する画像表示装置であって、
前記複数の色光のそれぞれの光路における前記画像表示素子の入射面側および射出面側に、偏光素子を貼り付けた透明基板が配置されており、
前記複数の光路のうち少なくとも１つの光路において、前記画像表示素子の入射面側に配置された透明基板とこの透明基板に貼り付けられた偏光素子との面積比と、射出面側に配置された透明基板とこの透明基板に貼り付けられた偏光素子との面積比が異なることを特徴とする画像表示装置。
【請求項４】
前記少なくとも１つの光路において、前記画像表示素子の入射面側及び射出面側のうち一方に配置された透明基板とこの透明基板に貼り付けられた偏光素子との面積比を、他方に配置された透明基板とこの透明基板に貼り付けられた偏光素子との面積比の略１．２倍以上としたことを特徴とする請求項３に記載の画像表示装置。
【請求項５】
照明光を複数の色光に分解する色分解手段と、前記複数の色光をそれぞれ変調する複数の画像表示素子と、これら画像表示素子により変調された前記複数の色光を合成してカラー画像表示を可能とする色合成手段とを有する画像表示装置であって、
前記複数の色光のそれぞれの光路における前記画像表示素子の入射面側および射出面側に、偏光素子を貼り付けた透明基板が配置されており、
前記複数の光路のうち少なくとも１つの光路において、前記画像表示素子の入射面側に配置された透明基板の面積と、射出面側に配置された透明基板の面積が異なることを特徴とする画像表示装置。
【請求項６】
前記少なくとも１つの光路において、前記画像表示素子の入射面側及び射出面側のうち一方に配置された透明基板の面積を、他方に配置された透明基板の面積の略１．２倍以上としたことを特徴とする請求項５に記載の画像表示装置。
【請求項７】
照明光を複数の色光に分解する色分解手段と、前記複数の色光をそれぞれ変調する複数の画像表示素子と、これら画像表示素子により変調された前記複数の色光を合成してカラー画像表示を可能とする色合成手段とを有する画像表示装置であって、
前記複数の色光のそれぞれの光路における前記画像表示素子の入射面側および射出面側に、偏光素子を貼り付けた透明基板が配置されており、
前記複数の光路のうち少なくとも１つの光路において、前記画像表示素子の入射面側に配置された透明基板の表面積と、射出面側に配置された透明基板の表面積が異なることを特徴とする画像表示装置。
【請求項８】
前記少なくとも１つの光路において、前記画像表示素子の入射面側及び射出面側のうち一方に配置された透明基板の表面積を、他方に配置された透明基板の表面積の略１．２倍以上としたことを特徴とする請求項７に記載の画像表示装置。
【請求項９】
前記複数の透明基板が、ガラス又は蛍石で形成されていることを特徴とする請求項１から８のいずれかに記載の画像表示装置。
【請求項１０】
前記少なくとも１つの光路において、前記画像表示素子の入射面側に配置された透明基板および射出面側に配置された透明基板のうち一方の透明基板がサファイアで形成され、他方の透明基板がガラス又は蛍石で形成されていることを特徴とする請求項１から８のいずれかに記載の画像表示装置。
【手続補正２】
【補正対象書類名】明細書
【補正対象項目名】００２３
【補正方法】変更
【補正の内容】
【００２３】
または、照明光を複数の色光に分解する色分解手段と、複数の色光をそれぞれ変調する複数の画像表示素子と、これら画像表示素子により変調された複数の色光を合成してカラー画像表示を可能とする色合成手段とを有する画像表示装置において、上記複数の色光のそれぞれの光路における画像表示素子の入射面側および射出面側に、偏光素子を貼り付けた透明基板を配置し、上記複数の光路のうち少なくとも１つの光路において、画像表示素子の射出面側に配置された透明基板の厚さを、入射面側に配置された透明基板の厚さよりも厚く（例えば、略１．２倍以上と）している。すなわち、本願第１の発明では、画像表示素子の入射面側に配置された透明基板の厚さと、射出面側に配置された透明基板の厚さとを異ならせている。
【手続補正３】
【補正対象書類名】明細書
【補正対象項目名】００２４
【補正方法】変更
【補正の内容】
【００２４】
また、本願第２の発明では、照明光を複数の色光に分解する色分解手段と、複数の色光をそれぞれ変調する複数の画像表示素子と、これら画像表示素子により変調された複数の色光を合成してカラー画像表示を可能とする色合成手段とを有する画像表示装置において、上記複数の色光のそれぞれの光路における画像表示素子の入射面側および射出面側に、偏光素子を貼り付けた透明基板を配置し、上記複数の光路のうち少なくとも１つの光路において、画像表示素子の入射面側に配置された透明基板とこの透明基板に貼り付けられた偏光素子との面積比を、射出面側に配置された透明基板とこの透明基板に貼り付けられた偏光素子との面積比よりも大きく（例えば、略１．２倍以上と）している。
【手続補正４】
【補正対象書類名】明細書
【補正対象項目名】００２５
【補正方法】変更
【補正の内容】
【００２５】
または、照明光を複数の色光に分解する色分解手段と、複数の色光をそれぞれ変調する複数の画像表示素子と、これら画像表示素子により変調された複数の色光を合成してカラー画像表示を可能とする色合成手段とを有する画像表示装置において、上記複数の色光のそれぞれの光路における画像表示素子の入射面側および射出面側に、偏光素子を貼り付けた透明基板を配置し、上記複数の光路のうち少なくとも１つの光路において、画像表示素子の射出面側に配置された透明基板とこの透明基板に貼り付けられた偏光素子との面積比を、入射面側に配置された透明基板とこの透明基板に貼り付けられた偏光素子との面積比よりも大きく（例えば、略１．２倍以上と）している。すなわち、本願第２の発明では、画像表示素子の射出面側に配置された透明基板とこの透明基板に貼り付けられた偏光素子との面積比と、入射面側に配置された透明基板とこの透明基板に貼り付けられた偏光素子との面積比とを異ならせている。
【手続補正５】
【補正対象書類名】明細書
【補正対象項目名】００２６
【補正方法】変更
【補正の内容】
【００２６】
また、本願第３の発明では、照明光を複数の色光に分解する色分解手段と、複数の色光をそれぞれ変調する複数の画像表示素子と、これら画像表示素子により変調された複数の色光を合成してカラー画像表示を可能とする色合成手段とを有する画像表示装置において、上記複数の色光のそれぞれの光路における画像表示素子の入射面側および射出面側に、偏光素子を貼り付けた透明基板を配置し、上記複数の光路のうち少なくとも１つの光路において、画像表示素子の入射面側に配置された透明基板の面積を、射出面側に配置された透明基板の面積よりも大きく（例えば、略１．２倍以上と）している。
【手続補正６】
【補正対象書類名】明細書
【補正対象項目名】００２７
【補正方法】変更
【補正の内容】
【００２７】
または、照明光を複数の色光に分解する色分解手段と、複数の色光をそれぞれ変調する複数の画像表示素子と、これら画像表示素子により変調された複数の色光を合成してカラー画像表示を可能とする色合成手段とを有する画像表示装置において、上記複数の色光のそれぞれの光路における画像表示素子の入射面側および射出面側に、偏光素子を貼り付けた透明基板を配置し、上記複数の光路のうち少なくとも１つの光路において、画像表示素子の射出面側に配置された透明基板の面積を、入射面側に配置された透明基板の面積よりも大きく（例えば、略１．２倍以上と）している。すなわち、本願第３の発明では、画像表示素子の射出面側に配置された透明基板の面積と、入射面側に配置された透明基板の面積とを異ならせている。
【手続補正７】
【補正対象書類名】明細書
【補正対象項目名】００２８
【補正方法】変更
【補正の内容】
【００２８】
さらに、本願第４の発明では、照明光を複数の色光に分解する色分解手段と、複数の色光をそれぞれ変調する複数の画像表示素子と、これら画像表示素子により変調された複数の色光を合成してカラー画像表示を可能とする色合成手段とを有する画像表示装置において、上記複数の色光のそれぞれの光路における画像表示素子の入射面側および射出面側に、偏光素子を貼り付けた透明基板を配置し、上記複数の光路のうち少なくとも１つの光路において、画像表示素子の入射面側に配置された透明基板の表面積を、射出面側に配置された透明基板の表面積よりも大きく（例えば、略１．２倍以上と）している。
【手続補正８】
【補正対象書類名】明細書
【補正対象項目名】００２９
【補正方法】変更
【補正の内容】
【００２９】
または、照明光を複数の色光に分解する色分解手段と、複数の色光をそれぞれ変調する複数の画像表示素子と、これら画像表示素子により変調された複数の色光を合成してカラー画像表示を可能とする色合成手段とを有する画像表示装置において、上記複数の色光のそれぞれの光路における画像表示素子の入射面側および射出面側に、偏光素子を貼り付けた透明基板を配置し、上記複数の光路のうち少なくとも１つの光路において、画像表示素子の射出面側に配置された透明基板の表面積を、入射面側に配置された透明基板の表面積よりも大きく（例えば、略１．２倍以上と）している。すなわち、本願第４の発明では、画像表示素子の射出面側に配置された透明基板の表面積と、入射面側に配置された透明基板の表面積とを異ならせている。